(57)【要約】      （修正有）【課題】使われなくなってきた紋紙や紋紙に穴を開ける機械を他の使用方法により生活に役立つ物として再び生かす紋紙（タペストリー）を提供する。【解決手段】織物を織る為だけのデーター記録紙としての使い方しか出来なかったが紋紙１にデザインを施す事によって異なった価値を持たせて紋紙自体を紋紙装飾物とした。紋紙本体１は縦６５ｍｍ横４９０ｍｍ厚さ０．５ｍｍの大きさの紋紙でありこの本体１にパンチマシンと言う紋紙に直径３ｍｍの穴を開ける専用機械でデザインが浮出る様に丸穴を設けられている。この本体１の両端と真中の２穴を糸２で一体的に設けられ、本体１に通した両端の位置に穴を開けた木棒３を本体１の上で２と一体的に設けられ、更に木棒４のフサの頭に穴を開け２と同じ糸を通した物を３で１つにまとめ竹輪５に糸を通した計６個の４を１の両端に２で３個づつ一体的に設けられている。【選択図】図１
2005119251.tif 000002
【特許請求の範囲】
【請求項１】
紋紙に丸穴でデザインを開け施した事を特徴とする装飾物。
【請求項２】
以下の工程で作成する装飾物。
行程
▲１▼デザイン作成（作りたい紋紙のデザイン：織物用デザインソフト使用  図５）
▲２▼紋紙用デザインデーター作成（紋紙にデザインが出る様にデザインのデーター変換：織物用デザインソフト使用  図２）
▲３▼デザインデーターと織り機指図データーの合成データー作成（織物データー：紋紙作成ソフト使用）
▲４▼紋紙に穴を開ける
▲５▼組み立て完成（紋紙に他の装飾物の取り付け  図１）
【発明の詳細な説明】
【技術分野】
【０００１】  この発明は、本来の目的とは異なった使用技術（紋紙自体に丸穴の有無でデザインが浮出る様にする事）により紋紙自体に商品としての価値と表現方法を持たせると言う事に関する。
【背景の技術】
【０００２】  従来（織物）の使用技術・方法（紋紙自体に不規則な丸穴の有無）は、データー記録紙として図３の様に丸穴を開け図４の様になります。
（織る生地によってデーターは異なり穴の開き方・開き位置・連なる枚数も異なります。）
そして紋紙を織機（生地を織る為の機械）に取り付けデーターを読み込みながら生地を織ります。
紋紙とは織物データー記録紙＝現在のフロッピーの役割にあたる物である。
織物を織る為に必要なデーター作成行程
▲１▼デザイン作成（：織物用デザインソフト使用  図５）
▲２▼デザインデーターと織り機指図データーの合成データー作成（織物データー：紋紙作成ソフト使用）
▲３▼紋紙に穴を開ける（パンチマシーン若しくは手切り  図３・４）
▲４▼織機（生地を織る機械）に取り付け生地を織る
【発明の開示】
【発明が解決しようとする課題】
【０００３】  しかしながら、以上の従来技術によれば、時代の流れや技術進歩・コスト的問題（修正・やり直しなどを行う場合紋紙を作り直さなければならない）などで紋紙を使って織物を作る事は殆どなくなりました。
今現在では、フロッピーが紋紙に変わる物として主流になってきています。（何度でもデーターを入換えられる。）
その事により今まで使われてきた紋紙や紋紙に穴を開ける機械等は、使用目的を無くして来ているのが現状です。
そこでこの発明は、使われなくなってきた紋紙や紋紙に穴を開ける機械を他の使用方法により生活に役立つ物として再び生かす紋紙（タペストリー）を提供することを課題とする。
【課題を解決するための手段】
【０００４】    以上の課題を解決するために、請求項１の発明は、紋紙（ジャカード織物データー記録紙）に穴（ドット）でデザインを施した事を特徴とする装飾物。
また、請求項２の発明は、本来紋紙は織物データを丸穴開ける開けないで表すのみですがその紋紙自体にデザインが浮出る様に穴を開けた事を特徴とする請求項１記載の装飾物と技術。
【発明の効果】
【０００５】以上説明した様にこの発明によれば、紋紙に丸穴でデザインを施し上下に木を設けたので今までの使用方法とは異なった使用目的を生み出しタペストリーとしての新しい商品価値を与え人の安らぎ生活品として役立ちます。
また、生活に忙しい現代の人々に手軽に安らぎ・和などの時間を提供出来ます。【０００６】また、衰退しつつある織物文化の１部を他の形で利用する事により生産と需要を生み出しこれからに残す事が出来る可能性を持っています。
【発明を実施する為の最良の形態】
【０００７】今までは、織物を織る為だけのデーター記録紙としての使い方しか出来なかったが紋紙にデザインを施す事によって異なった価値を持たせて紋紙自体を紋紙装飾物とした物です。
この発明の一実施形態を、図１に示す。
紋紙本体１は縦６５ｍｍ横４９０ｍｍ厚さ０．５ｍｍの大きさの紋紙でありこの本体１にパンチマシンと言う紋紙に直径３ｍｍの穴を開ける専用機械でデザインが浮出る様に丸穴を設けられている。
但し両端と真中には糸を通す為の穴が２穴で計６穴を設け両端の穴の更に内側の１穴計２穴設けられている。
この本体１の両端と真中の２穴を糸２で一体的に設けられる。
更に本体１に通した両端の位置に穴を開けた木棒３を本体１の上で２と一体的に設けられる。
更に木棒４のフサの頭に穴を開け２と同じ糸を通した物を３で１つにまとめ竹輪５に糸を通した計６個の４を１の両端に２で３個づつ一体的に設けられている。但しこれらに使用した形・大きさ・素材等に決めた物だけではなく板状の物に穴を開けてデザインを施した物と言う概念であります。
紋紙タペストリーが出来るまでの工程は下記の通りである。
第１行程（デザイン作成  図５）…織物データー作成用のｃａｄソフト（ドットで絵を描く為の物）を使いデザインを作成する。
第２行程（紋紙デザインデーター作成  図２）…紋紙にデザインが浮出る様にデザインのデーター変換（本来織物データーを作る上でこの処理は行わない作業で織物データー作成時に紋紙自体にデザインが現れる事はない。
あくまでも不規則な穴の有無のみでデーターは表され織物にした段階で初めてデザインが織物として出てくるのである。）
第３行程（デザインデーターと織り機指図データーの合成データー作成…紋紙に指示通り穴を開ける様にする為の指示データーと行程２で作ったデーターの結合データー
第４行程（紋紙に穴を開ける）…第３行程で作成したｃｇｓデーターをパンチマシーンに読み込ませて紋紙にデーターを穴で表す。（機械切り若しくは手切り）
第５行程（組み立て）…図１の様に組み立て完成である。
【０００８】この実施形態によれば、これらの全体の形・模様の働きにより織物の文化に手軽に触れられ、使われなくなってきた紋紙・パンチマシンに使用目的を与え、かつ需要と供給を生み出し、共にタペストリーなどとしての新しい商品価値を与え人の安らぎ生活品として役立ちます。
【図面の簡単な説明】
【０００９】
【図１】  この発明の一実施形態を示す正面図である。（新）
【図２】  紋紙に絵が出る様に織物ソフトで作ったデザイン図である。（新）
【図３】  従来の紋紙拡大正面図である。（旧）
【図４】  従来技術を示す紋紙正面図である。（旧）
【図５】  生地に絵が出る様に織物ソフトで作ったデザイン図である。（旧）
【符号の説明】
【００１０】      １  紋紙                    ２  糸
３  木棒                    ４  木棒（房）
５  竹輪
【図１】
2005119251.tif 000003
【図２】
2005119251.tif 000004
【図３】
2005119251.tif 000005
【図４】
2005119251.tif 000006
【図５】
2005119251.tif 000007